(57)【特許請求の範囲】
【請求項１】
外気を導入する外気導入口から車内に空調風を吹き出す空調吹出口にかけての給気送風路と、
内気を導入する内気導入口から内気を車外へ排出する内気排出口にかけての内気排出路と、
前記給気送風路に前記外気導入口から前記空調吹出口に向かう空気流を発生させる外気送風手段と、
前記内気排出路に前記内気導入口から前記内気排出口に向かう空気流を発生させる内気送風手段と、
前記給気送風路を流れる空気を冷却または加熱する第１車内熱交換器および第２車内熱交換器と、
冷房運転時凝縮器、暖房運転時蒸発器として外気と熱交換する車外熱交換器と、
前記第１車内熱交換器、前記第２車内熱交換器および前記車外熱交換器と圧縮機の間で冷媒を循環させるヒートポンプと、
前記内気排出路を流れる内気と前記外気導入口から導入される外気とを熱交換させて熱回収する熱回収器と、
車内の空気温度を検知する内気温検知手段と、車外の空気温度を検知する外気温検知手段を備え、
前記内気温検知手段で検知した温度と前記外気温検知手段で検知した温度を用いて、暖房運転時の除湿を制御を行い、前記熱回収器は、顕熱のみを熱交換する顕熱部と、全熱を熱交換する全熱部により構成され、冷房運転時には、外気が高湿の場合は、前記熱回収器の前記全熱部のみを使用し、外気が低湿の場合は、前記顕熱部と前記全熱部両方を使用し、暖房運転時には、外気が低湿の場合は、前記熱回収器の前記顕熱部と前記全熱部両方を使用し、外気が高湿の場合や窓が曇る等除湿が必要な場合は、前記顕熱部のみを使用することを特徴とする車両用空調装置。
【請求項２】
車内の湿度を検知する湿度検知手段を設けた請求項１に記載の車両用空調装置。
【請求項３】
熱回収器を通らない外気導入口を設けたことを特徴とする請求項１または２に記載の車両用空調装置。
【請求項４】
内気導入口に切替ダンパを設け、内気循環と外気導入を切替えることを特徴とする請求項１乃至３のいずれかにに記載の車両用空調装置。
【発明の詳細な説明】
【技術分野】
【０００１】
本発明は、暖房の熱源の得られにくい電気自動車やハイブリッド車等に使用される車室内を暖房可能な車両用空調装置に関するものである。
【背景技術】
【０００２】
従来、電気自動車やハイブリッド車のエアコンには、コンプレッサをモータで駆動するクーラと電気ヒータとによるシステムが一部に用いられている。
【０００３】
最近では、暖房時の省電力の観点からヒートポンプサイクルによるシステムが主流となっており、電動コンプレッサを駆動制御した冷凍サイクルを用いて、冷房、暖房、除湿などを行うものがある（例えば、非特許文献１参照）。
【０００４】
図３に四方弁を用いたヒートポンプシステムの例を示す。冷房時の冷媒はコンプレッサ１０１から吐出され四方弁１０２により室外熱交換器１０３に流して放熱後、  冷房用絞り１０４で減圧しエバポレータ（蒸発器）１０５で吸熱しコンプレッサ１０１に戻る冷凍サイクルである。
【０００５】
暖房時は四方弁１０２を切り替え、冷媒をコンデンサ１０６に流して放熱し、室外熱交換器１０３は蒸発器として作動させる。また除湿をする場合はコンデンサ１０６、  暖房用絞り１０７、室外熱交換器１０３、冷房用絞り１０４、エバポレータ１０５などの順に冷媒を流し、空気を冷却除湿した後に過熱を行う、いわゆるリヒート方式としている。
【先行技術文献】
【非特許文献】
【０００６】
【非特許文献１】電気自動車ハンドブック編集委員会  編著「電気自動車ハンドブック」丸善株式会社出版（図５．１５１）
【発明の概要】
【発明が解決しようとする課題】
【０００７】
このような従来の車両用空調装置においては、リヒート方式で暖房時の除湿可能なヒートポンプシステムの構成は開発されているが、ヒートポンプシステムの特性を生かし、特に暖房時の除湿において、無駄な電力を消費せず窓、特にフロントガラスの曇りを抑制できるような制御は行われていないという課題を有していた。
【０００８】
そこで本発明は、上記従来の課題を解決するものであり、暖房時の除湿において、無駄な電力を消費せず窓、特にフロントガラスの曇りを抑制できるような制御が行える車両用空調装置を提供することを目的とする。
【課題を解決するための手段】
【０００９】
そして、この目的を達成するために、本発明は、外気を導入する外気導入口から車内に空調風を吹き出す空調吹出口にかけての給気送風路と、内気を導入する内気導入口から内気を車外へ排出する内気排出口にかけての内気排出路と、前記給気送風路に前記外気導入口から前記空調吹出口に向かう空気流を発生させる外気送風手段と、前記内気排出路に前記内気導入口から前記内気排出口に向かう空気流を発生させる内気送風手段と、前記給気送風路を流れる空気を冷却または加熱する第１車内熱交換器および第２車内熱交換器と、冷房運転時凝縮器、暖房運転時蒸発器として外気と熱交換する車外熱交換器と、前記第１車内熱交換器、前記第２車内熱交換器および前記車外熱交換器と圧縮機の間で冷媒を循環させるヒートポンプと、前記内気排出路を流れる内気と前記外気導入口から導入される外気とを熱交換させて熱回収する熱回収器と、車内の空気温度を検知する内気温検知手段と、車外の空気温度を検知する外気温検知手段を備え、前記内気温検知手段で検知した温度と前記外気温検知手段で検知した温度を用いて、暖房運転時の除湿を制御を行い、前記熱回収器は、顕熱のみを熱交換する顕熱部と、全熱を熱交換する全熱部により構成され、冷房運転時には、外気が高湿の場合は、前記熱回収器の前記全熱部のみを使用し、外気が低湿の場合は、前記顕熱部と前記全熱部両方を使用し、暖房運転時には、外気が低湿の場合は、前記熱回収器の前記顕熱部と前記全熱部両方を使用し、外気が高湿の場合や窓が曇る等除湿が必要な場合は、前記顕熱部のみを使用するものであり、これにより所期の目的を達成するものである。
【発明の効果】
【００１０】
本発明によれば、車外熱交換器と第１車内熱交換器に直列に冷媒を流すという構成にし、車内の空気温度を検知する内気温検知手段と、車外の空気温度を検知する外気温検知手段を備え、前記内気温検知手段で検知した温度と外気温検知手段で検知した温度を用いて、暖房運転時の除湿を制御することにより、暖房時に外気が高湿で窓、特にフロントガラスが曇る恐れがある時のみ、第１車内熱交換器で除湿してから、第２車内熱交換器で加熱できるので、無駄な電力を消費せず窓、特にフロントガラスの曇りを抑制するという効果を得ることができる。
【００１１】
さらに、内気排出路を流れる内気と外気導入口から導入される外気とを熱交換させて熱回収する熱回収器とを備えた構成にしたことにより、空調された車内空気から熱回収を行い、導入する外気を車内環境に近づけることができるので、車内の空調負荷を低減し、省エネ効果のある車両用空調装置を提供するという効果を得ることができる。
【００１２】
また、外気導入口を複数設け、空調された車内空気から熱回収を行わず、外気を直接第１車内熱交換器に送れるという構成にしたことにより、窓、特にフロントガラスの曇りをより抑制するという効果を得ることができる。
また、前記熱回収器は、顕熱のみを熱交換する顕熱部と、全熱を熱交換する全熱部により構成され、冷房運転時には、外気が高湿の場合は、前記熱回収器の前記全熱部のみを使用し、外気が低湿の場合は、前記顕熱部と前記全熱部両方を使用し、暖房運転時には、外気が低湿の場合は、前記熱回収器の前記顕熱部と前記全熱部両方を使用し、外気が高湿の場合や窓が曇る等除湿が必要な場合は、前記顕熱部のみを使用する構成にしたことにより、冷房運転時は外気の湿度を車内に入れない方が冷房負荷を低減でき、暖房運転時は、外気が低湿の場合、顕熱部と全熱部両方を使用するのが好ましく、外気が高湿の場合や窓が曇る等除湿が必要な場合、顕熱部のみを使用するのが好ましい。外気より温度の高い内気をそのまま排出せず、熱回収器で外気と熱交換させてから排出するようにしたので、第２車内熱交換器での冷媒による加熱負荷が減り圧縮機の消費電力を低減できる。
さらに、顕熱部と全熱部の両方に流す場合と、どちらか一方のみ流す場合では、圧損の違いから風量も変わるため、風量を確保したい場合は、顕熱部と全熱部の両方に流すのが好ましい。
【図面の簡単な説明】
【００１３】
【図１】本発明の実施の形態１の車両用空調装置の概略構成図
【図２】本発明の実施の形態２の熱回収器を示すイメージ図
【図３】従来の車両用空調装置のヒートポンプシステムの概略構成図
【発明を実施するための形態】
【００１４】
以下、本発明の実施の形態について図面を参照しながら説明する。
【００１５】
（実施の形態１）
図１に示すように、車両用空調装置は、外気、内気の送風路とヒートポンプシステムで構成されている。
【００１６】
外気、内気の送風路には、外気を導入する外気導入口１から車内に空調風を吹き出す空調吹出口２にかけての給気送風路３と、内気導入口４から内気排出口７に向かい内気を車外へ排出する内気排出路８と、給気送風路３に外気導入口１から空調吹出口２に向かう空気流を発生させる外気送風手段９ａと、内気排出路８に内気導入口４から内気排出路８に向かう空気流を発生させる内気送風手段９ｂと、給気送風路３を流れる空気を冷却または加熱する第１車内熱交換器１０および第２車内熱交換器１１が設けられている。
【００１７】
また、内気導入口４には車内の空気温度を検知する内気温検知手段としての温度センサ５、車外の空気温度を検知する外気温検知手段としての温度センサ６が設けられている。
【００１８】
熱源として、冷房運転時凝縮器、暖房運転時蒸発器として外気と熱交換する車外熱交換器１２が、給気送風路３とは別の送風路に設けられ、第１車内熱交換器１０、第２車内熱交換器１１および車外熱交換器１２と圧縮機１３の間で冷媒を循環させるヒートポンプを備えている。
【００１９】
ここでヒートポンプの構成を説明する。
【００２０】
圧縮機１３の高圧冷媒吐出側に四方弁１４、四方弁１４と車外熱交換器１２の間に逆止弁１５、車外熱交換器１２と第１車内熱交換器１０の間に絞り弁１６（図に示すように膨張弁１６ａと電磁弁１６ｂを内蔵）、第２車内熱交換器１１と車外熱交換器１２の間に逆止弁１７と絞り弁１８（図に示すように膨張弁１８ａと電磁弁１８ｂを内蔵）を設け、ヒートポンプを構成している。ここで本実施の形態では、前述の外気温検知手段としての温度センサ６を、車外熱交換器１２の吸込み側に設けている。
【００２１】
そして、内気排出路８を流れる内気から吸熱し、外気導入口１から導入される外気へ放熱する熱回収器１９を備えている。この熱回収器１９は顕熱と潜熱の両方を熱交換する全熱交換器である。
【００２２】
上記構成において、表１に記載の各運転モードについて説明する。
【００２３】
【表１】
0005640484.tif 000002
【００２４】
まず冷房運転時の冷媒の流れは、圧縮機１３→四方弁１４→逆止弁１５→車外熱交換器１２→絞り弁１６→第１車内熱交換器１０→圧縮機１３で、第２車内熱交換器１１には冷媒は流さない。
【００２５】
このような冷媒の流れの中、外気は外気送風手段９ａの運転により外気導入口１から導入され、熱回収器１９で外気より温度の低い内気に冷やされ、給気送風路３を通り、蒸発器として作用する第１車内熱交換器１０通過時に冷媒の気化熱で冷却され、冷媒の流れていない第２車内熱交換器１１を通り、空調吹出口２からフロントガラスや運転者に冷風を吹き出す。吹出された冷風は、内気となり車内を循環し、内気送風手段９ｂの運転により内気導入口４から内気排出路８中の熱回収器１９で外気に暖められ、内気排出口７から車外へ排出される。
【００２６】
このように外気より温度の低い内気をそのまま排出せず、熱回収器１９で外気と熱交換させてから排出するようにしたので、第１車内熱交換器１０での冷媒による冷却負荷が減り圧縮機１３の消費電力を低減できる。
【００２７】
次に暖房運転時の冷媒の流れは、圧縮機１３→四方弁１４→第２車内熱交換器１１→絞り弁１８→車外熱交換器１２→電磁弁１６ｂ→圧縮機１３で、第１車内熱交換器１０には冷媒は流さない。
【００２８】
このような冷媒の流れの中、外気は外気送風手段９ａの運転により外気導入口１から導入され、熱回収器１９で外気より温度の高い内気に暖められ、給気送風路３を通り、冷媒の流れていない第１車内熱交換器１０を通り、凝縮器として作用する第２車内熱交換器１１通過時に冷媒の凝縮熱で加熱され、空調吹出口２からフロントガラスや運転者に温風を吹き出す。吹出された温風は、内気となり車内を循環し、内気送風手段９ｂの運転により内気導入口４から内気排出路８中の熱回収器１９で外気に冷やされ、内気排出口７から車外へ排出される。
【００２９】
このように外気より温度の高い内気をそのまま排出せず、熱回収器１９で外気と熱交換させてから排出するようにしたので、第２車内熱交換器１１での冷媒による加熱負荷が減り圧縮機１３の消費電力を低減できる。
【００３０】
また暖房時窓が曇る等除湿が必要な場合（表１では第一除湿暖房）、例えば結露検知手段として温度センサ６で検知した外気の温度が温度センサ５で検知した車内室温（または車内の空調の設定温度）の露点温度より低い場合、車外熱交換器１２の後、第１車内熱交換器１０にも冷媒を流し蒸発器として作用させ、第１車内熱交換器１０通過時に外気を冷却除湿することにより、低湿な温風を空調吹出口２からフロントガラスや運転者に吹き出すことができる。
【００３１】
ここで車内の露点温度は、車内の湿度により変化するが、暖房時の一般的な相対湿度５０〜６０％と設定することにより、車内の露点温度は算出でき、外気温との比較により、窓の曇りの有無を判断できる。また、車内の湿度を検知する湿度検知手段として湿度センサ（図示なし）を内気温検知手段としての温度センサ５の近傍に設けて検知した湿度も用いて車内の露点温度を算出することにより、窓の曇りの有無をより正確に判断できる。
【００３２】
このとき、窓の曇りを早く解消したい場合、車外熱交換器１２より第１車内熱交換器１０での冷媒の蒸発量を多くすればよい。すなわち、車外熱交換器１２用の送風機２０を停止または送風量を減少させることにより、第１車内熱交換器１０での冷媒の蒸発量を多くでき、除湿能力を増加させることができる。
【００３３】
さらに上記の除湿をしても窓が曇る場合（表１では第二除湿暖房）、外気導入口１をダンパ２１で閉じ、外気導入口１ａのダンパ２１ａを開き、熱回収器１９を通らない外気導入口１ａから外気を導入することにより、熱回収器１９での内気からの湿度回収を行わないため、より低湿な温風を空調吹出口２からフロントガラスや運転者に吹き出すことができる。
【００３４】
また、外気が高湿、すなわち、外気の絶対湿度が内気の絶対湿度より高い場合には、内気導入口４のダンパ２２、外気導入口１のダンパ２１、外気導入口１ａのダンパ２１ａを閉じ、通常閉じている内気導入口４ａのダンパ２２ａを開けることによる内気循環を断続的に行うことによっても、第１車内熱交換器１０での除湿負荷を減らすことができ、無駄な電力を消費せず窓、特にフロントガラスの曇りを抑制できる。
【００３５】
以上のように、このような構成によれば、車内の空気温度を検知する内気温検知手段として温度センサ５と、車外の空気温度を検知する外気温検知手段として温度センサ６を備え、各温度センサで検知した温度と設定湿度あるいは湿度センサで検知した湿度を用いて、車内の露点温度は算出でき、外気温との比較により、窓、特にフロントガラスの曇りの有無を判断することにより、暖房時に外気が高湿で窓、特にフロントガラスが曇る恐れがある時のみ、第１車内熱交換器で除湿してから、第２車内熱交換器で加熱できるので、無駄な電力を消費せず窓、特にフロントガラスの曇りを抑制するという効果を得ることができる。
【００３６】
（実施の形態２）
次に図２に、実施の形態１で説明した熱回収器１９の別の形態を示す。
【００３７】
図２に示すように、熱回収器２９は顕熱のみを回収（熱交換）する顕熱部２９ａと全熱を回収（熱交換）する全熱部２９ｂにより構成され、表１で示した各運転モードにより、顕熱部２９ａ、全熱部２９ｂを使い分けることができる。
【００３８】
上記構成において、表１で示した各運転モードにおける熱回収器２９の使い分けを説明する。
【００３９】
冷房運転時は外気の湿度を車内に入れない方が冷房負荷を低減できるので、全熱部２９ｂのみを使用するのが好ましく、外気が低湿の場合、顕熱部２９ａと全熱部２９ｂ両方を使用してもよい。
【００４０】
暖房運転時は、外気が低湿の場合、顕熱部２９ａと全熱部２９ｂ両方を使用するのが好ましく、外気が高湿の場合や窓が曇る等除湿が必要な場合（表１では第一除湿暖房）、顕熱部２９ａのみを使用するのが好ましい。すなわち、表１での第二除湿暖房時にも、熱回収器２９を使用することができ、外気より温度の高い内気をそのまま排出せず、熱回収器１９で外気と熱交換させてから排出するようにしたので、第２車内熱交換器１１での冷媒による加熱負荷が減り圧縮機１３の消費電力を低減できる。
【００４１】
なお、本実施の形態では、図２のように顕熱部２９ａと全熱部２９ｂをイメージで表したが、顕熱部２９ａと全熱部２９ｂを使い分けるには風路を切替えるダンパが必要となる。
【００４２】
また、顕熱部２９ａと全熱部２９ｂ両方に流す場合と、どちらか一方のみ流す場合では、圧損の違いから風量も変わるため、風量を確保したい場合は、顕熱部２９ａと全熱部２９ｂ両方に流すのが好ましい。
【産業上の利用可能性】
【００４３】
本発明にかかる車両用空調装置は、空調された車内空気から熱回収を行い、導入する外気を車内環境に近づけることができるので、車内の空調負荷の低減を可能とするものであるので、暖房の熱源の得られにくい電気自動車やハイブリッド車等に使用される車室内を暖房可能な車両用空調装置として有用である。
【符号の説明】
【００４４】
１、１ａ  外気導入口
２      空調吹出口
３      給気送風路
４、４ａ  内気導入口
５、６  温度センサ
７      内気排出口
８      内気排出路
９ａ    外気送風手段
９ｂ    内気送風手段
１０    第１車内熱交換器
１１    第２車内熱交換器
１２    車外熱交換器
１３    圧縮機
１４    四方弁
１５、１７  逆止弁
１６、１８  絞り弁
１６ａ、１８ａ  膨張弁
１６ｂ、１８ｂ  電磁弁
１９、２９  熱回収器
２０    送風機
２１、２１ａ、２２、２２ａ  ダンパ
２９ａ  顕熱部
２９ｂ  全熱部
【図１】
0005640484.tif 000003
【図２】
0005640484.tif 000004
【図３】
0005640484.tif 000005